(57)【要約】【課題】  電気錠に対しコインリターン式の機構を兼用して無料ロッカー錠としたコインリターン式無料電気錠を提供する。【解決手段】  電子タグを収容したキーの回転操作部を差し込むタグキャッチャー２への当該回転操作部の差し込み回動によってラッチレバーの施・解錠が可能と成る電気錠１に、上側にコイン投入口３Ａ、下側にコイン払い戻し口３Ｂを有するコイン通路３と、コイン投入口３Ａから投入したコインａのコイン通路３内での一次保留位置と二次保留位置との間を揺動可能にしたコインストッパー５と、コイン通路３内でのコインａの一次保留位置でタグキャッチャー２を回動可能とするロックレバー４とを備え、コインストッパー５によるコイン通路３内でのコインａの二次保留位置でラッチレバー２Ａによる施錠を可能にするよう構成される。【選択図】          図３
2006241870.tif 000002
【特許請求の範囲】
【請求項１】
電子タグを収容したキーの回転操作部が差し込まれるタグキャッチャーへの当該回転操作部の差し込み回動によってラッチレバーの施・解錠が可能と成る電気錠であって、上側にコイン投入口、下側にコイン払い戻し口それぞれを有するコイン通路と、コイン投入口から投入されたコインのコイン通路内での一次保留位置と二次保留位置との間を揺動可能にしたコインストッパーと、コイン通路内でのコインの一次保留位置でタグキャッチャーを回動可能とするロックレバーとを備え、コインストッパーによるコイン通路内でのコインの二次保留位置でラッチレバーによる施錠を可能にしたことを特徴とするコインリターン式無料電気錠。
【請求項２】
タグキャッチャーの周面には、ラッチレバーの解錠位置でロックレバーの係止爪部が係架される深溝係合凹部と、ラッチレバーの解錠動作途中でロックレバーの係止爪部が係架される浅溝係合凹部とが形成されていることを特徴とする請求項１記載のコインリターン式無料電気錠。
【請求項３】
コイン通路のコイン投入口側には、投入されたコインによってコイン通路を閉塞するコインシャッターを備え、且つタグキャッチャーに対するロックレバーの係合状態を解除する位置に揺動可能とするコインチェッカーを有する請求項１または２記載のコインリターン式無料電気錠。
【発明の詳細な説明】
【技術分野】
【０００１】
本発明は、例えば介護センター等における番号固定式の更衣ロッカー等のＩＣタグを使用した電気錠において、所定の硬貨を投入することによって使用可能となり、使用後には硬貨が返却されるコインリターン式無料電気錠に関する。
【背景技術】
【０００２】
従来、コインリターン式の無料ロッカー錠装置としては、例えば、特許文献１に開示されているように、所定の硬貨を投入すると検銭機構によってこの硬貨を確認した後、硬貨が一次保持されて施錠操作が可能となり、施錠操作後にはキーが抜き取り可能となると同時に硬貨が一次保持位置より下方の二次保持位置に落下する状態となり、一方、キーを挿入して解錠操作すると開扉可能となると同時に二次保持位置にある硬貨が落下して硬貨払出口に返却されるという技術が提供されている。
【０００３】
また、従来の電気錠としては、ＩＣタグをそれ自身が持つ製造番号である例えばシリアルナンバーを書き換えのできないＩＤとしてキーとしての意味を付け、ロッカー本体側に扉の施錠を行うロック機構、ＩＣタグの受付部、ＩＣタグにエネルギーを供給してＩＣタグとの間で送受信を行う送受信部、送受信部より接続される管理部およびこれらに対する電源供給部を一体的に構成して成るものが知られている。
【特許文献１】特開平２−６４８９６号公報
【発明の開示】
【発明が解決しようとする課題】
【０００４】
しかしながら、従来においては、上記した電気錠に対しコインリターン式の機構を兼用して無料ロッカー錠とした技術が要望されているのに拘らず、未だ提供されてはいないものであった。
【０００５】
そこで、本発明は、叙上のような従来存した諸事情に鑑みなされたもので、電気錠に対しコインリターン式の機構を兼用して無料ロッカー錠としたコインリターン式無料電気錠を提供することを目的とする。
【課題を解決するための手段】
【０００６】
上述した課題を解決するため、本発明にあっては、電子タグを収容したキーの回転操作部が差し込まれるタグキャッチャーへの当該回転操作部の差し込み回動によってラッチレバーの施・解錠が可能と成る電気錠であって、上側にコイン投入口、下側にコイン払い戻し口それぞれを有するコイン通路と、コイン投入口から投入されたコインのコイン通路内での一次保留位置と二次保留位置との間を揺動可能にしたコインストッパーと、コイン通路内でのコインの一次保留位置でタグキャッチャーを回動可能とするロックレバーとを備え、コインストッパーによるコイン通路内でのコインの二次保留位置でラッチレバーによる施錠を可能にしたことを特徴とする。
【０００７】
ここにおいて、前記タグキャッチャーの周面には、ラッチレバーの解錠位置でロックレバーの係止爪部が係架される深溝係合凹部と、ラッチレバーの解錠動作途中でロックレバーの係止爪部が係架される浅溝係合凹部とが形成されているものとすることができる。
【０００８】
さらに、前記コイン通路のコイン投入口側には、投入されたコインによってコイン通路を閉塞するコインシャッターを備え、且つタグキャッチャーに対するロックレバーの係合状態を解除する位置に揺動可能とするコインチェッカーを有するものとすることができる。
【０００９】
以上のように構成された本発明に係るコインリターン式無料電気錠にあって、コイン投入口から投入されたコインは、コインストッパーによって一次保留状態となった時に、ロックレバーがタグキャッチャーから離反する。そして、タグキャッチャーは差し込まれている回転操作部を介して反時計方向に回動されることで、タグキャッチャーの深溝な第１凹部から浅溝な第２凹部側を経てタグキャッチャーの外周面に係架され、コインストッパーの一次保留側からコインが外れて、コインストッパーの二次保留側にコインが落下係止される。このようにしてラッチレバーが施錠されたとき、ロックレバーおよびコインストッパーはタグキャッチャーの各凹部から外れていてタグキャッチャーの外周面に係架される。
【００１０】
また、この二次保留状態からタグキャッチャーを時計方向へ反回動させてラッチレバーによる施錠を解錠させると、コインストッパーが時計方向に回転されてコインの二次保留状態が解除され、コイン払い戻し口側にコインを落下させて返却される。このときラッチレバーの解錠途中でロックレバーの係止爪部が浅溝係合凹部に係架され、タグキャッチャーの反時計方向への回動防止、すなわちラッチレバーによる再施錠を防止する。
【発明の効果】
【００１１】
本発明によれば、電気錠に対しコインリターン式の機構を兼用して無料ロッカー錠としたコインリターン式無料電気錠を提供することができる。
【発明を実施するための最良の形態】
【００１２】
以下、図面を参照して本発明を実施するための最良の一形態を説明すると、図において示される符号１は、例えば番号固定式のロッカー管理システムにおける電子タグとしてのＩＣタグを使用した電気錠であり、図１、図２に示すように、ロッカー本体の開閉扉の縁端部側に取り付けられており、電子タグを収容したキーの回転操作部が差し込まれるタグキャッチャー２と、該タグキャッチャー２への当該回転操作部の差し込みによる検知スイッチのオンによって作動する不図示のラッチ用ソレノイドとを備え、該ラッチ用ソレノイドによりラッチレバー２Ａが係合解除方向に作動して施錠可能状態となるようにしてある。
【００１３】
また、図２に示すように、タグキャッチャー２に隣接する位置には、上側にコイン投入口３Ａを有し、下側にコイン払い戻し口３Ｂを有するコイン通路３と、さらにこれに隣接して非常用錠１３が設けられている。そして、シリアルナンバーを書き換えのできないＩＤとしてキーとしての意味を付けて成る電子タグにエネルギーを供給して当該電子タグとの間で送受信を行う送受信部、送受信部より接続される管理部およびこれらに対する電源供給部等公知の構成部品を一体的に構成してある。
【００１４】
また、図３に示すように、タグキャッチャー２の周面には、後述するロックレバー４のタグキャッチャー側係止爪部４Ａが係架される浅溝係合凹部２Ｂと深溝係合凹部２Ｃとが隣接位置に形成され、これと対称位置には後述するコインストッパー５の先端側に形成された第２コイン係止部５Ｂが係架される深溝な第１凹部２Ｄと浅溝な第２凹部２Ｅとが連通状態に形成されている。
【００１５】
さらに、タグキャッチャー２に隣接する位置には、上側にコイン投入口３Ａを有し、下側にコイン払い戻し口３Ｂを有する略コインａの厚幅よりも僅かに広い縦長のコイン通路３が設けられている。このコイン投入口３Ａ側のコイン通路３後壁面には、縦に細長い３つの縦長孔部９が形成され、これら縦長孔部９を貫通するように横向きに配置された支軸１０を介して、それぞれに下部突起６Ｂと上部突起６Ａとを備えた３つのコインチェッカー６が揺動可能に支持されている。
【００１６】
図４に示すように、各コインチェッカー６は支軸１０の廻りにフリー回転状態となっているものの、支軸１０の廻りに時計方向へ常時回動規制されて、これら３つのコインチェッカー６の各下部突起６Ｂが当該縦長孔部９からコイン通路３側に突出し、各上部突起６Ａが当該縦長孔部９からコイン通路３後方側に退避した状態を常に維持できるようにしてある。
【００１７】
また、コインチェッカー６の両側２つは、Ｌ字片状のコインシャッター７と一体になって形成されており、コインシャッター７の揺動に伴って、３つの縦長孔部９の上側において横向きとなって形成された横長孔部１１からＬ字片の一端側がコイン通路３側に突出したり、コイン通路３後方側に退避するようにしてある。
【００１８】
タグキャッチャー２とコイン通路３との間であってコインチェッカー６に隣接する位置には、一端にコインチェッカー６側係止アーム片部４Ｂ、他端側にタグキャッチャー側係止爪部４Ａとを有するロックレバー４が中央の支軸１２を介して揺動可能に配されている。そして、コイン投入口３Ａからコインａが投入される以前には、図３、図４に示すように、コインチェッカー６のコイン通路３後方側に退避している上部突起６Ａによってロックレバー４のコインチェッカー側係止アーム片部４Ｂが係止されると同時に、タグキャッチャー２の深溝係合凹部２Ｃにロックレバー４のタグキャッチャー側係止爪部４Ａが係架されるものとしてある。
【００１９】
一方、コインａが投入されたときには、図５、図６に示すように、コインチェッカー６の各下部突起６Ｂがコインａによって縦長孔部９後方へ押されて、コインシャッター７によってコイン投入口３Ａが閉塞されると共に、上部突起６Ａが縦長孔部９内に引き込まれることでロックレバー４のコインチェッカー側係止爪部４Ｂが上部突起６Ａから外れて当該ロックレバー４が支軸１２の廻りに時計方向に回動すると共に、ロックレバー４のタグキャッチャー側係止爪部４Ａが深溝係合凹部２Ｃから離反することによりタグキャッチャー２が反時計廻りに回動できるものとしてある。
【００２０】
ロックレバー４自体は、支軸１２近傍位置に形成した遊合孔１２Ａに、ロックレバー４略中央の突出部位に設けられた不動ピン１２Ｂが遊嵌されることによって揺動範囲が規制されている。すなわち、図３に示すように、ラッチレバー２Ａの解錠状態では、不動ピン１２Ｂは遊合孔１２Ａの一端（図中右側）において、コインストッパー５上方の第１コイン係止部５Ａの前方（コイン通路３方向）へ若干突出した状態に位置している。そして、コインａをコイン投入口３Ａからコイン通路３へ投入することで不動ピン１２Ｂは、そのコインａの重力によって押されて、遊合孔１２Ａの他端まで引っ込むと同時にロックレバー４が支軸１２の廻りに時計方向に回動するものとしてある。
【００２１】
また、ロックレバー４の近傍には当該ロックレバー４に若干重なるようにして、一端にコインａの二次保留としての第２コイン係止部５Ｂが若干長目のアームを介して横向きに突出して形成され、他端にコインａの一次保留としての第１コイン係止部５Ａが若干短目のアームを介して前記同様横向きに突出して形成されて成るコインストッパー５が中央の支軸１２を介して揺動可能に配されている。そして、第１コイン係止部５Ａ側に介装配置されたスプリング８を介して当該コインストッパー５自体を時計方向に常時回動付勢させてある。
【００２２】
コイン投入口３Ａからコインａが投入された際には、最初にコインａがロックレバー４の不動ピン１２Ｂに突き当り、これを押すことで遊合孔１２Ａを摺動させたのち第１コイン係止部５Ａに係止されて一次保留状態となった時に、前記したようにロックレバー４のタグキャッチャー側係止爪部４Ａが深溝係合凹部２Ｃから離反する。そして、図７に示すように、タグキャッチャー２が反時計方向に若干回動されることで、タグキャッチャー２の深溝な第１凹部２Ｄから浅溝な第２凹部２Ｅに、コインストッパー５の第２コイン係止部５Ｂの反対側にある係止突起５Ｃが係架される。そして、さらに、図８および図９に示すように、タグキャッチャー２が同方向に回動されることで当該係止突起５Ｃが浅溝な第２凹部２Ｅから外れてタグキャッチャー２の外周面に係架され、コインａが第１コイン係止部５Ａから外れて落下した後、コインストッパー５のコイン通路３下方に位置する第２コイン係止部５Ｂによって係止されて二次保留状態となると同時に、ラッチレバー２Ａが施錠された状態となるものとしてある。
【００２３】
また、図１０に示すように、この二次保留状態からタグキャッチャー２を時計方向へ反回動させてラッチレバー２Ａによる施錠を解錠させると、タグキャッチャー２の浅溝係合凹部２Ｂ、深溝係合凹部２Ｃの順にロックレバー４のタグキャッチャー側係止爪部４Ａが移動して行くと同時に、コインストッパー５の第２コイン係止部５Ｂの反対側にある係止突起５Ｃが浅溝な第２凹部２Ｅ、深溝な第１凹部２Ｄの順に移動して行き、当該コインストッパー５が支軸１２の廻りに時計方向に回転されて第２コイン係止部５Ｂからコインａが外れて二次保留状態が解除され、コイン払い戻し口３Ｂ側に落下するものとしてある。そして、このラッチレバー２Ａの解錠途中にロックレバー４のタグキャッチャー側係止爪部４Ａがタグキャッチャー２の浅溝係合凹部２Ｂに係架されて、当該タグキャッチャー２の反時計方向への回動防止、すなわちラッチレバー２Ａによる再施錠を防止できるものとしてある。
【００２４】
そして、図３に示すように、コインチェッカー６のコイン通路３後方側に退避している上部突起６Ａによってロックレバー４のコインチェッカー側係止アーム片部４Ｂが係止されると同時に不動ピン１２Ｂも遊合孔１２Ａの一端まで摺動し、且つコイン投入口３Ａのコインシャッター７が開放されると同時に、タグキャッチャー２の深溝係合凹部２Ｃにロックレバー４のタグキャッチャー側係止爪部４Ａが係架されることで、コイン投入口３Ａからコインａが投入される以前の状態に復帰するものとしてある。
【００２５】
次に、以上のように構成された最良の形態についての使用、動作の一例について説明すると、コイン投入口３Ａからコインａが投入される以前には、図３、図４に示すように、コインチェッカー６のコイン通路３後方側に退避している上部突起６Ａによってロックレバー４のコインチェッカー側係止アーム片部４Ｂが係止されると同時に、タグキャッチャー２の深溝係合凹部２Ｃにロックレバー４のタグキャッチャー側係止爪部４Ａが係架されている。このとき、ロックレバー４の不動ピン１２Ｂは、遊合孔１２Ａの一端（図３中右側）において、コインストッパー５上方の第１コイン係止部５Ａの前方若干突出した状態に位置していると同時にコインストッパー５下方の係止突起５Ｃがタグキャッチャー２の第１凹部２Ｄに係架されている。尚、回転操作部はタグキャッチャー２から抜脱できない状態となっている。
【００２６】
一方、施錠に際し、コイン投入口３Ａからコインａが投入されると、図５、図６に示すように、コインシャッター７の各下部突起６Ｂがコインａによって縦長孔部９後方へ押されて、コインシャッター７によってコイン投入口３Ａが閉塞される。そして、上部突起６Ａが縦長孔部９内に引き込まれ、ロックレバー４のコインチェッカー側係止アーム片部４Ｂが上部突起６Ａから外れると共に、遊合孔１２Ａの一端に位置する不動ピン１２Ｂがコインａの重量によって押されて遊合孔１２Ａの他端まで引っ込むことで、当該ロックレバー４が支軸の廻りに時計方向に回動し、ロックレバー４のタグキャッチャー側係止爪部４Ａが深溝係合凹部２Ｃから離反する。この状態において、差し込まれた回転操作部を介してタグキャッチャー２を反時計廻りに回動させることでラッチレバー２Ａによる施錠が行われる。
【００２７】
このとき、コイン投入口３Ａから投入されたコインａは最初に不動ピン１２Ｂがコインストッパー５の第１コイン係止部５Ａの後方へ退去された状態となり、これによって第１コイン係止部５Ａに係止された一次保留状態となる。そして、図７ないし図９に示すように、タグキャッチャー２が反時計方向に回動されることで、タグキャッチャー２の深溝な第１凹部２Ｄから浅溝な第２凹部２Ｅにコインストッパー５の第２コイン係止部５Ｂの反対側にある係止突起５Ｃが係架された後、当該コインストッパー５の係止突起５Ｃおよびロックレバー４のタグキャッチャー側係止爪部４Ａがタグキャッチャー２の外周面（非凹部）に係架され、コインａが第１コイン係止部５Ａから外れて落下し、コインストッパー５の第２コイン係止部５Ｂによって係止される二次保留状態となり、ラッチレバー２Ａによる施錠が完了する。尚、このときにおける回転操作部はタグキャッチャー２から抜脱できるものとなる。
【００２８】
一方、ラッチレバー２Ａを解錠させる際には、図１０に示すように、差し込まれた回転操作部を介してタグキャッチャー２を時計方向へ反回動させると、タグキャッチャー２の浅溝係合凹部２Ｂ、深溝係合凹部２Ｃの順にロックレバー４のタグキャッチャー側係止爪部４Ａが移動して行くと同時に、コインストッパー５の第２コイン係止部５Ｂの反対側にある係止突起５Ｃが浅溝な第２凹部２Ｅ、深溝な第１凹部２Ｄの順に移動して行き、当該コインストッパー５が支軸１２の廻りに時計方向に回転されて第２コイン係止部５Ｂから当該コインａが外れてコイン払い戻し口３Ｂ側に落下する。
【００２９】
そして、図３に示すように、コインチェッカー６のコイン通路３後方側に退避している上部突起６Ａによってロックレバー４のコインチェッカー側係止アーム片部４Ｂが係止されると同時に不動ピン１２Ｂも遊合孔１２Ａの一端まで摺動し、且つコイン投入口３Ａのコインシャッター７が開放されて、タグキャッチャー２の深溝係合凹部２Ｃにロックレバー４のタグキャッチャー側係止爪部４Ａが係架されることで、コイン投入口３Ａからコインａが投入される以前の状態に復帰する。尚、このとき、回転操作部はタグキャッチャー２から抜脱できない状態となる。
【図面の簡単な説明】
【００３０】
【図１】本発明を実施するための最良の形態における電気錠を示す要部の平面図である。
【図２】同じく電気錠の正面図である。
【図３】コイン投入前の電気錠の内部構成を示す要部の平面図である。
【図４】図３中のＡ−Ａ断面図である。
【図５】投入されたコインが一次保留状態にある電気錠の内部構成を示す要部の平面図である。
【図６】図５中のＢ−Ｂ断面図である。
【図７】投入されたコインが一次保留状態にある施錠途中の電気錠の内部構成を示す要部の平面図である。
【図８】投入されたコインが二次保留状態にある施錠途中の電気錠の内部構成を示す要部の平面図である。
【図９】施錠した状態の電気錠の内部構成を示す要部の平面図である。
【図１０】投入されたコインが二次保留位置から落下するときの解錠途中の電気錠の内部構成を示す要部の平面図である。
【符号の説明】
【００３１】
１      電気錠
２      タグキャッチャー
２Ａ    ラッチレバー
２Ｂ    浅溝係合凹部
２Ｃ    深溝係合凹部
２Ｄ    第１凹部
２Ｅ    第２凹部
３      コイン通路
３Ａ    コイン投入口
３Ｂ    コイン払い戻し口
４      ロックレバー
４Ａ    タグキャッチャー側係止爪部
４Ｂ    コインチェッカー側係止アーム片部
５      コインストッパー
５Ａ    第１コイン係止部
５Ｂ    第２コイン係止部
５Ｃ    係止突起
６      コインチェッカー
６Ａ    上部突起
６Ｂ    下部突起
７      コインシャッター
８      スプリング
９      縦長孔部
１０    支軸
１１    横長孔部
１２    支軸
１２Ａ  遊合孔
１２Ｂ  不動ピン
１３    非常用錠
ａ      コイン
【図１】
2006241870.tif 000003
【図２】
2006241870.tif 000004
【図３】
2006241870.tif 000005
【図４】
2006241870.tif 000006
【図５】
2006241870.tif 000007
【図６】
2006241870.tif 000008
【図７】
2006241870.tif 000009
【図８】
2006241870.tif 000010
【図９】
2006241870.tif 000011
【図１０】
2006241870.tif 000012